(57)【要約】  燃料電池層は、基材と、基材上に配置された、燃料極、空気極及び電解質を各々有する燃料電池からなるアレイと、該燃料電池のアレイに電気的に接続された導体と、基材の燃料極側に画定された燃料流チャネルと、基材の空気極側に画定された空気極空気流チャネルとを備える。【選択図】図１Ａ
2007508676.tif 000002
【特許請求の範囲】
【請求項１】
基材（１１０）と、
前記基材（１１０）上に配置された、燃料極、空気極及び電解質を各々有する燃料電池（１０５）から成るアレイ（１４５）と、
前記燃料電池アレイ（１４５）に電気的に接続された導体（１５０、１５５）と、
前記基材（１１０）の燃料極側（１２０）に画定された燃料流チャネル（１６０）と、
前記基材（１１０）の空気極側（１１５）に画定された空気極空気流チャネル（１２５）と、
を含む、マルチセル燃料電池層。
【請求項２】
前記基材（１１０）内に画定されており、前記燃料流チャネル（１６０）と流体連通している燃料入口（１６５）及び排出口（１７０）をさらに含む、請求項１に記載の燃料電池層。
【請求項３】
前記基材（１１０）内に画定されており、前記空気極空気流チャネル（１２５）と流体連通している空気極空気入口（１３０）及び過剰空気極空気出口（１３５）をさらに含む、請求項２に記載の燃料電池層。
【請求項４】
燃料電池システムであって、
基材（１１０）上に配置された、燃料極、空気極、電解質及び導体を各々有する燃料電池（１０５）から成るアレイ（１４５）と、前記基材（１１０）の燃料極側（１２０）に画定された燃料流チャネル（１６０）と、前記基材（１１０）の空気極側（１１５）に画定された空気極空気流チャネル（１２５）とをそれぞれ備える複数の燃料電池層（１００）を含んで成り、
前記燃料電池層（１００）が、交互に積み重ねられている、燃料電池システム。
【請求項５】
１つの燃料電池層（１００）が、隣り合った第１の燃料電池層と燃料流チャネル（１６０）を共用して燃料流プレナム（４００）を形成し且つ隣り合った第２の燃料電池層と空気極空気流チャネル（１２５）を共用して空気極空気流プレナム（４１０）を形成するように、前記燃料電池層（１００）が接続されている、請求項４に記載のシステム。
【請求項６】
前記基材（１１０）内に画定された、前記燃料流プレナム（４００）と流体連通する燃料入口プレナム（４４０）及び排出プレナム（４５０）を形成する、複数の燃料入口（１６５）及び出口（１７０）をさらに含み、且つ前記基材（１１０）内に画定された、前記空気極空気流プレナム（４１０）と流体連通する空気極空気入口プレナム（４２０）及び過剰空気極空気出口プレナム（４３０）を形成する、空気極空気入口（１３０）及び過剰空気極空気出口（１３５）をさらに含む、請求項４に記載のシステム。
【請求項７】
前記燃料電池層（１００）の各々の上にある、前記空気極空気入口（１３０）に接続された正極導体（１５０）、並びに前記燃料電池層（１００）の各々の上にある、前記過剰空気極空気出口（１３５）に接続された負極導体（１５５）と、前記空気極空気入口プレナム（４２０）内に配置された前記正極導体（１５５）の各々に接続された正極スタック接続（２７０）と、前記過剰空気極空気出口プレナム（４２０）内に配置された前記負極導体（１５５）の各々に接続された負極スタック接続（２８０）とをさらに含む、請求項６に記載に記載のシステム。
【請求項８】
前記燃料入口プレナム（４４０）内に配置された、前記燃料流プレナム（４００）に接続される複数の選択的に開口している入口（６１０）を有する燃料マニホルド（６００）と、前記排出プレナム（４５０）内に配置された、前記燃料流プレナム（４００）に接続される複数の選択的に開している入口（６１０）を有する排出マニホルド（６００）とをさらに含む、請求項７に記載のシステム。
【請求項９】
前記空気極空気入口プレナム（４２０）内に配置された、前記空気極空気流プレナム（４１０）に接続される複数の選択的に開口した入口（６１０）を有する空気極空気入口マニホルド（６００）と、前記過剰空気極空気プレナム（４３０）内に配置された、前記空気極空気流プレナム（４００）に接続される複数の選択的に開口した入口（６１０）を有する過剰空気極空気マニホルド（６００）とをさらに含む、請求項８に記載のシステム。
【請求項１０】
燃料電池システムを形成する方法であって：
基材（１１０）と、前記基材（１１０）上に配置された、燃料極、空気極、電解質及び導体を各々有する燃料電池から成るアレイ（１４５）と、前記基材（１１０）の燃料極側（１２０）に画定された燃料流チャネル（１６０）と、前記基材（１１０）の空気極側（１１５）に画定された空気極空気流チャネル（１２５）とを有する複数の燃料電池層（１００）を設けること；及び
１つの燃料電池層（１００）が、隣り合った第１の燃料電池層と空気極空気流チャネル（１２５）を共用し且つ隣り合った第２の燃料電池層と燃料流チャネル（１６０）を共用するように、前記燃料電池層（１００）を接続させること、
を包含する、方法。
【発明の詳細な説明】
【技術分野】
【０００１】
【背景技術】
【０００２】
過去数年の間で、大規模及び小規模両方の電気を生成するための燃料電池の人気と実現性が大幅に高まってきた。燃料電池は、水素や酸素などの反応物を用いた電気化学反応を実施して、電気と熱を生成する。一般的な燃料電池は、燃料極及び空気極といった２つの電極間に配置された電解質を有する。燃料電池は、通常、用いられる電解質の種類によって、プロトン交換膜（ＰＥＭ）燃料電池、アルカリ燃料電池（ＡＦＣ）、リン酸燃料電池（ＰＡＦＣ）、固体酸化物燃料電池（ＳＯＦＣ）、及び溶融炭酸塩燃料電池（ＭＣＦＣ）の５つのグループのうちの１つに分類される。全ての燃料電池に望ましい特徴がいくつかあるが、固体酸化物燃料電池（ＳＯＦＣ）には、他のタイプの燃料電池よりも優れた独特の利点が幾つかある。ＳＯＦＣの幾つかの利点としては、電解質の取り扱いに関する問題の少なさ、他のタイプの燃料電池よりも高い効率（ＳＯＦＣの効率は最大６０％）、燃料不純物に対する耐性の高さ、炭化水素燃料の内部改質又は直接利用が可能であることが挙げられる。
【０００３】
ほとんどのＳＯＦＣは、酸素イオンを素早く伝導させ得るセラミックスなどの固体材料で作製された電解質を備える。電解質中のイオン伝導率を高めるために、ＳＯＦＣは、一般に、５００〜１０００℃の温度範囲で作動する。空気などの酸化剤が空気極に送られると、空気極は、酸素イオンを生成し電解質に供給する。水素やメタンなどの燃料が燃料極に送られると、燃料は、空気極から電解質通って送られてきた酸素イオンと反応する。この反応により電子が生じ、この電子は、有効電力として外部回路に送られる。有効電力量を高めるために、アレイ、即ち燃料電池スタックとして、セラミック基材上に複数の燃料電池が集められる。これらのスタックを互いに積層させることで、燃料電池システムが構成される。
【発明の開示】
【発明が解決しようとする課題】
【０００４】
ＳＯＦＣの作動に関しては、各層は、多くの場合、室温とその最高作動温度との間で繰り返される。この熱サイクルにより、ハウジング材料は、その熱膨張率に従って伸縮する。この伸縮により、シール材や他の構造構成要素を介してセラミックセルへと直接伝わる場合のある熱応力が生じる。この熱応力によって、シール材が破損したり、構造的に脆いセラミックセルが破壊されたりすることにより、ＳＯＦＣの耐用年数が短くなる。熱サイクルに適応しつつ、個々の部品間のシール関係を維持するのは困難である。
【課題を解決するための手段】
【０００５】
添付の図面は、本発明の装置及び方法の種々の実施形態を示しており、本明細書の一部である。図示する実施形態は、単に本装置及び方法の例であって、開示の範囲を限定するものではない。
【０００６】
図面全体にわたって、同一の符号は、必ずしも同一とは限らないが、類似する要素を指す。
【０００７】
燃料電池層は、基材と、燃料極、空気極及び電解質を各々有する燃料電池のアレイと、該燃料電池のアレイに電気的に接続された導体と、基材の燃料極側に画定された燃料流チャネルと、基材の空気極側に画定された空気極空気流チャネルとを備える。
【発明を実施するための最良の形態】
【０００８】
以下の記載では、説明のために、本発明の方法及び装置の完全な理解をもたらすべく多数の具体的詳細例を示す。しかしながら、当業者であれば、本発明の方法及び装置が、そのような具体的詳細例なしに実施し得ることは理解されよう。本明細書において、「一実施形態」又は「ある実施形態」は、その実施形態に関連して述べる特定の特徴、構造又は特性が少なくとも１つの実施形態に含まれることを意味する。本明細書の様々な箇所に現れる「一実施形態」という句は、必ずしも同じ実施形態を指すとは限らない。
例示的な構造 
図１Ａ〜図１Ｂは、一般にセラミック基材（１１０）上に形成された複数の個別の燃料電池（１０５）を備える、燃料電池層（１００）の平面図及び下面図を示している。各燃料電池は、基材（１１０）上に形成された燃料極、空気極及び電解質を備える。電解質は、基材（１１０）の非活性部をシールするために用いることができる。燃料電池層（１００）は、空気極側（図１Ａの１１５）と燃料極側（図１Ｂの１２０）の２つの相対する面を有する。
【０００９】
図１Ａは、空気極側（１１５）を示しており、そこには、基材（１１０）内に空気極空気流チャネル（１２５）が画定されている。空気極空気流チャネル（１２５）は、基材（１１０）に形成されたくぼみ、溝、経路などであり、空気極空気入口（１３０）と過剰空気極空気出口（１３５）の間に延在し、それらと流体連通している。チャネル（１２５）の幅は、燃料電池（１０５）のアレイに対応する。図１Ａに示すように、空気極空気入口（１３０）と過剰空気極空気出口（１３５）は、基材（１１０）の反対側の角にある。空気極空気流チャネル（１２５）は、空気流軸（１４０）を有する。作動時、空気極空気は、空気極空気流チャネル（１２５）内を、空気流軸（１４０）とほぼ平行な方向に流れる。空気極空気は、空気極空気入口（１３０）から空気極空気流チャネル（１２５）を通って流れ、過剰空気極空気出口（１３５）から出るが、その際、個別の燃料電池（１０５）を横切って流れる。個別の燃料電池は、基材（１１０）の空気極側（１１５）に形成されており、燃料電池スタック（１４５）を構成している。燃料電池スタック（１４５）は、平面アレイとし得る。燃料電池スタック（１４５）内では、個別の燃料電池（１０５）は、それぞれ隣りの燃料電池と直列に接続されている。正極導体（１５０）は、燃料電池スタック（１４５）に接続されており、空気極空気入口（１３０）へとつながっている。また、負極導体（１５５）は、燃料電池スタック（１４５）に接続されており、過剰空気極空気出口（１３５）へとつながっている。したがって、空気極側（１１５）は、燃料電池層（１００）の正電圧をもたらす回路側として機能する。
【００１０】
図１Ｂは、基材（１１０）内に燃料流チャネル（１６０）が画定された、基材（１１０）の燃料極側（１２０）を示している。燃料流チャネル（１６０）は、基材（１１０）内に形成され、燃料入口（１６５）と出口（１７０）との間に延在し、それらと流体連通しているくぼみ、溝、経路などである。燃料流チャネル（１６０）の幅は、燃料電池（１０５）のアレイの幅に応じ、一般に空気極空気流チャネル（１２５）の幅に対応する。図１Ｂに示すように、燃料入口（１６５）と出口（１７０）は、基材（１１０）の相対する隅に画定されている。燃料入口（１６５）と出口（１７０）は、空気極空気入口（図１Ａの１３０）と過剰空気極空気出口（図１Ａの１３５）によって占有されていない２つの相対する隅に画定される。燃料流チャネル（１６０）は、燃料流軸（１７５）を有する。作動時、燃料は、燃料流軸（１７５）と平行な方向にチャネル（１６０）内を流れる。燃料は、基材表面（１１０）を横切って流れながら、燃料入口（１６５）から燃料流チャネル（１６０）を通って出口（１７０）へと流れる。燃料流チャネル（１６０）は、燃料電池スタックの空気流チャネル（図１Ａの１２５）と反対側にある。
【００１１】
燃料流軸（１７５）は、空気流軸（図１Ａの１４０）に対して或る角度を成している。図示する実施形態では、空気流軸（１４０）と燃料流軸（１７５）は実質的に互いに垂直であり、各々、対向する入口と出口若しくは排出口との対角線に沿って基材（１１０）を横切る。したがって、図示する構成の燃料電池スタックでは、基材（１１０）の相対する側において、空気及び燃料が交差する向きにて流れるように、空気極空気及び燃料を流す機構がもたらされる。
【００１２】
燃料入口（１６５）及び出口（１７０）の空気極側（１１５）と、空気極空気入口（１３０）及び過剰空気極空気出口（１３５）の燃料極側（１２０）には、シール材（１８０）が配置される。シール材（１８０）の構成については、後でより詳しく説明する。
【００１３】
燃料電池層（１００）上の燃料流又は空気流を促進するために、燃料流及び／又は空気流内に、バッフルアレイ（１８５）のような、流れを調節する構造要素を配置することができる。そのような流れを調節する構造要素は、燃料流と空気流の乱れを大きくしたり、空気流若しくは燃料流の平面流れの空間分布を調整したりすることによって、燃料電池層の性能を改善することができる。そのような調節構造要素（１８５）は、燃料電池層（１００）の両方の側にわたって均一な流れ場を実現するように設計することができる。個別の燃料電池層を積み重ねることによって、後述するように燃料電池システムの一部とし得る燃料電池層を形成することができる。
例示的な実施形態及び動作 
図２Ａ及び２Ｂは、複数の燃料電池層（図１Ａ及び図１Ｂの１００）を集めた燃料電池システム（２００）の上面図並びに下面図を示している。燃料電池層（１００）は、基盤（２１０）と蓋（２２０）との間に収容されている。基盤（２１０）は、空気及び燃料の経路指定部材を備える。新しい空気極空気は、空気極空気入口（２３０）を介してシステムに導入され、過剰な空気極空気は、過剰空気極空気出口（２４０）を介して排出される。燃料は、燃料入口（２５０）を介してシステムに導入され、過剰の燃料及び副生物は、燃料排出口（２６０）を介して排出される。後でより詳しく説明するように、空気極空気入口（２３０）、空気極空気出口（２４０）、燃料入口（２５０）、及び燃料排出口（２６０）の各々は、システム（２００）を構成する各燃料電池層（１００）の対応する入口及び出口に流体連通している。
【００１４】
蓋（２２０）は、燃料電池システム（２００）から電気を引き出すための正極スタック電気接続（２７０）及び負極スタック電気接続（２８０）を備える。これらの接続（２７０及び２８０）は、システム（２００）内の燃料電池層（１００）の対応する導電体（例えば、図１Ａの１５０及び１５５）に電気的に接続されている。具体的な燃料及び空気の経路並びに電気の経路をはじめとする燃料電池システム（２００）の作動に関しては、後で詳細に説明する。
【００１５】
図３は、燃料電池システムを構成する方法を示すフローチャートである。当該方法は、燃料電池層（３００）を設けることにより開始する。燃料電池層は、燃料電池のアレイがその上に形成された基材を備える。燃料電池の各々は、燃料極、空気極、及び電解質を有する。隣り合った燃料電池は、電気的に直列となるように接続される。燃料流チャネルと空気極空気流チャネルとは、基材の反対側に画定され、ほぼ直線（ｇｅｎｅｒａｌｌｙ  ｒｅａｃｔｉｌｉｎｅａｒ）とし得る。基材の４つの隅のそれぞれに、貫通孔が形成されている。対向する隅に形成された貫通孔の２つは、燃料流チャネルにそれぞれ接続された燃料入口及び出口である。他の対向する隅に形成された他の２の貫通孔は、空気極空気流チャネルにそれぞれ接続された空気極空気入口と過剰空気極空気出口を有する。
【００１６】
基材の空気極空気流チャネルと同じ側に導体が配置される。この導体は、燃料電池アレイに接続され、空気極空気入口まで延在する正極導体を含む。他の導体は、同じく燃料電池アレイに接続され、過剰空気極空気出口まで延在する負極導体である。したがって、空気極側は、燃料電池層の回路側である。さらに、前述のように、空気極空気流チャネルと燃料流チャネルは、燃料電池層の基材の両側に燃料と空気が流れる際に、燃料と空気極空気が互いに交差する向きに流れ、交差流の形態となるように配置されている。
【００１７】
次に、燃料電池層を積み重ねる（ステップ３１０）。あるいはまた、１つの燃料電池層が、一方の側の隣り合った第１の燃料電池層と燃料流チャネルを共用し且つ他方の側の隣り合った第２の燃料電池層と空気極空気流チャネルを共用するように、燃料電池層を積み重ねる。シール材は、貫通孔の相対する側の周囲に配置される。例えば、シール材は、燃料貫通孔の空気極側と、空気極空気貫通孔の燃料極側に配置される。シール材はまた、縁部の燃料電池層の両側にも配置される。さらに、積み重ねられたとき、貫通孔はプレナムを形成し、例えば、空気極空気入口が空気極空気入口プレナムを形成し、過剰空気極空気出口が、過剰空気極空気出口プレナムを形成する。正極スタック電気接続は、空気極空気入口プレナム内に部分的に配置され（ステップ３２０）、各正極導体に接続される（ステップ３３０）。同様に、負極スタック電気接続は、過剰空気極空気出口プレナム内に部分的に配置され（ステップ３４０）、各負極導体に接続される（ステップ３５０）。
【００１８】
燃料電池層を積み重ね（ステップ３１０）、電気接続を行い、燃料経路を確立した（ステップ３２０〜３５０）後で、スタックアセンブリの上と下をそれぞれスタック蓋とスタック基盤で覆う（ステップ３６０）。電気接続部は、正極スタック接続と負極スタック接続に容易にアクセスできるようにスタック蓋から突出させることができる。次に、燃料と空気極空気を提供し、過剰空気極空気と燃料及び電気化学反応の副生物とを排出するために、空気極空気プレナム、燃料プレナム及び排出プレナムの各々と流体連通している基盤の入口及び出口に継手が取り付けられる（ステップ３７０）。
【００１９】
実質的に全てがセラミックスからなる設計であるため、シール材は、典型的なＳＯＦＣシステムの場合のように２つの材料セットの差異を分かち合うのではなく、１つの材料セットに関し最適化することができる。これらのシール材は、導電性とすることも、非導電性とすることもできる。適切なシール材の一例は、セラミック系接着シール材である。１つのセラミック材料だけを用いることにより、設計者は、シーラントの熱膨張率（ＣＴＥ）をセラミックスのＣＴＥに合わせ、それによって熱サイクルによって生じる応力を小さくすることができる。また、これにより、典型的な平面スタックに見られる圧縮応力を小さくしたり、あるいはなくすことができる。セラミックスの応力が小さくなると、設計の信頼性及び頑強性が向上し、それによって燃料電池システムの実現性が高まる。さらに、隣り合った燃料電池層の間で１つの共通の燃料及び／又は空気容積を共用することによって、燃料電池システムを小型化しやすくなり、スタックを高温にするための起動エネルギー要件が軽減される。
【００２０】
図４Ａ及び図４Ｂは、複数の燃料電池層（図１Ａ及び図１Ｂの１００）を背中合わせに配置した燃料電池システム（２００）の部分断面図を示している。図４Ａに示すように、燃料電池システム（２００）は、燃料電池層（１００）を背中合わせにグループ化することによって構成された、交互になった燃料流プレナム（４００）と空気極空気流プレナム（４１０）を含む。図４に示すように、燃料流プレナム（４００）に流れ込む燃料はバッフル（１８５）を通る。また、空気極空気入口（図１の１３０）は、グループ化された場合に空気極空気入口プレナム（４２０）を形成し、過剰空気極空気出口（図１の１３５）は、過剰空気極空気出口プレナム（４３０）を形成する。空気極空気は、空気極空気入口（２３０）を介して基盤（２１０）に導入され、空気極空気入口プレナム（４２０）を通って空気極空気流プレナム（４１０）の各々へと流れ、過剰流プレナム（４３０）を通って、過剰空気極空気出口（２４０）から基盤（２１０）に戻る。シール材（１８０）は、燃料電池層（１００）の空気極側（図１Ａの１１５）の燃料入口と出口（図１Ｂの１６５と１７０）の間に配置され、燃料が空気極空気流プレナム（４１０）に入るのを防ぐ。したがって、空気極空気流プレナムの各々は、入口空気極空気プレナム（４２０）と過剰空気極空気プレナム（４３０）と流体連通することで、空気経路システムが形成される。
【００２１】
各導体（図１の１５０及び１５５）は、電気回路の一部である。正極導体（図１の１５０）は、空気極空気入口プレナム（４２０）内に部分的に配置された正極スタック電気接続（２７０）に接続される。負極導体（図１の１５５）は、負極スタック電気接続（２８０）に接続され、該負極スタック電気接続（２８０）は、過剰空気極空気出口プレナム（４３０）内にやはり部分的に配置される。図示するスタック構成では、各燃料電池層、即ち発電層は、電気回路内の他の燃料電池層に対して平行に配置される。したがって、各燃料電池層（１００）内の燃料電池は直列であり、燃料電池層（１００）は並列である。この直列回路と並列回路の構成によって、システム電圧を高くすることができる。システム電圧が高くなると、それに対応して高い電圧によって生成される電流が減少するため、システム内の抵抗損失が低下する。
【００２２】
図４Ｂは、燃料電池システム（１００）を通る燃料の流れを示している。燃料入口（図１の１６５）は、燃料入口プレナム（４４０）を形成し、排出貫通孔（図１の１７０）は、排出プレナム（４５０）を形成する。燃料は、燃料入口（２５０）を介して基盤（２１０）に導入され、燃料入口プレナム（４４０）を通って、共用の燃料流チャネル（図１の１６０）によって形成された燃料流プレナム（４００）へと流れ込み、排出プレナム（４５０）を通り、排出口（２６０）から基盤（２１０）に戻る。さらに、空気極空気流プレナム（４１０）に流れる空気極空気は、流れ調節構造要素（１８５）上を通る。シール材（１８０）は、燃料電池層（１００）の燃料極側（図１の１２０）の空気極空気貫通孔（１３０、１３５）の間に配置され、空気極空気が燃料流プレナム（４００）に入るのを防ぐ。したがって、各燃料流プレナム（４００）は、燃料入口プレナム（４４０）及び燃料排出プレナム（４５０）と流体連通して、燃料及び排出経路システムが形成される。
【００２３】
前述のように、空気極空気と燃料は、燃料電池スタック（１４０）を交差流の形態で横切って流れる。各燃料電池層（１００）は、１つの非対称部分を含み、それによって過去のシステムよりも部品数が少なくなる。さらに、本システムは、回路の少なくとも一部の構成によって、より低い抵抗損失にてより高い電力出力をもたらす。さらに、シールは、複雑な圧縮アセンブリや脆いシール材を使用することなく維持される。そのような部品の減少によって、より安価でより信頼性の高い燃料電池システムが可能になる。
代替実施形態 
図５は、個別の燃料電池（１０５）を空気極側（１２０ａ）に形成し、燃料電池スタック（１４５ａ）が構成されている、燃料電池層（１００ａ）を示している。燃料電池スタック（１４５ａ）は、平面アレイとし得る。この実施形態では、燃料電池（１０５）の空気極が基材（１１０ａ）の最も近くに形成され、燃料極が外側にある。さらに、正極導体（１５０ａ）は、燃料電池スタック（１４５ａ）に接続され、燃料入口（１６５ａ）につながっている。また、負極導体（１５５ａ）は、燃料電池スタック（１４５ａ）と出口（１７０ａ）に接続されている。したがって、この実施形態では、燃料極側（１１５）は、燃料電池層（１００ａ）の回路側として機能する。
【００２４】
図６Ａ〜図６Ｂは、入口／排出口（６１０）を有するマニホルド（６００）によって空気極空気プレナム（図４のステップ４１０）及び燃料流プレナム（図４の４７０）を介して空気と燃料が導入され引き出される燃料電池システム（２００ａ）を示している。燃料及び空気入口／排出口を導入することによって、スタックの特定の層を任意にオンオフすることができ、それによって、完全に均一なスタック作動温度を維持しながら、電源出力のダイナミックレンジを広くすることができる（「負荷追従」）。
【００２５】
さらに他の実施形態（図示せず）では、製作シーケンスによって作り出される個々のセル領域の空間的変動を制御することによって、面内の温度勾配を小さくすることができる。そのような温度勾配は、従来の平面ＳＯＦＣスタック設計の課題である。同じように、必要に応じて、セルサイズ及び面内配置を変更することによって、所定のプレートを横切る燃料及び空気の消耗プロファイルを調整することができる。
【００２６】
以上の説明は、本発明の方法並びに装置を例示し説明するためにのみ提示した。これらの説明は、網羅的なものではなく、示したいかなる厳密な形態にも開示内容を限定するものではない。以上の教示に鑑みて、多くの改良及び変更が可能である。本発明の範囲は以下の特許請求の範囲によって定義されることを理解されたい。
【図面の簡単な説明】
【００２７】
【図１Ａ】例示的な一実施形態による燃料電池層の空気極側を示す図
【図１Ｂ】例示的な一実施形態による燃料電池層の燃料極側を示す図
【図２Ａ】例示的な一実施形態による燃料電池システムの下面図
【図２Ｂ】例示的な一実施形態による燃料電池システムの上面図
【図３】例示的な一実施形態による燃料電池システムの使用方法を示すフローチャート
【図４Ａ】例示的な一実施形態による燃料電池システムの部分断面図
【図４Ｂ】例示的な一実施形態による燃料電池システムの部分断面図
【図５】例示的な一実施形態による燃料電池層の燃料極側を示す図
【図６Ａ】例示的な一実施形態による燃料電池システムを示す図
【図６Ｂ】例示的な一実施形態による燃料電池システムを示す図
【図１Ａ】
2007508676.tif 000003
【図１Ｂ】
2007508676.tif 000004
【図２Ａ】
2007508676.tif 000005
【図２Ｂ】
2007508676.tif 000006
【図３】
2007508676.tif 000007
【図４Ａ】
2007508676.tif 000008
【図４Ｂ】
2007508676.tif 000009
【図５】
2007508676.tif 000010
【図６Ａ】
2007508676.tif 000011
【図６Ｂ】
2007508676.tif 000012
【国際調査報告】
2007508676.tif 000013
2007508676.tif 000014
2007508676.tif 000015